(57)【特許請求の範囲】
【請求項１】
縁によって形成された開口と閉止具とを備え、この閉止具が、前記縁の一方の少なくとも一部に取り付けられた一方のバーと、相互間で前記縁を締め付けて前記開口をシール可能に閉じるように前記一方のバーに解放可能に連結される他方のバーとを備えるバッグであって、前記解放可能な連結が、少なくとも１個の差込みコネクタによって形成され、前記差込みコネクタは、バヨネット式コネクタであり、回転時に前記差込みコネクタの差込みピンが横断するカム手段を備え、このカム手段が連結をきつくするような角度を有する互いに反対向きの傾斜面を備え、前記差込みピンの回転に伴って、締め付け圧を増し、前記締め付け圧を維持するように構成してあるバッグ。
【請求項２】
前記解放可能な連結が、直接的に前記両バーの領域を、互いに且つ締め付けられた縁から間隔をおいて連結する１個または複数個の連結部材によってなされる請求項１記載のバッグ。
【請求項３】
差込みピンを回すレバーが設けられていて、前記閉止具は、前記差込みピンが所定の位置にきたとき、この差込みピン又はレバーと協働して、前記位置に来たことを音で知らせ、前記差込みピンを前記位置に解放可能にロックする、止め手段を有する請求項１または２に記載のバッグ。
【請求項４】
差込みピンが前記一方のバーに取り付けられていると共に、差込み孔が前記他方のバーに設けられていて、前記差込みコネクタが前記差込みピンの回転を容易にするレバーを有する請求項１〜３のいずれか１項記載のバッグ。
【請求項５】
前記他方のバーが、前記開口の縁の少なくとも一部に取り付けられている請求項１〜４のいずれか１項記載のバッグ。
【請求項６】
前記バーが、前記開口の縁に取り外し可能に取り付けられている請求項１〜５のいずれか１項記載のバッグ。
【請求項７】
前記一方のバーが溝を備えていて、相互間でバッグの縁を締め付けて前記両バーが連結されたときに、前記溝に係入する補完的突起が前記他方のバーに設けられている請求項１〜６のいずれか１項記載のバッグ。
【請求項８】
前記一方のバーに取り付けられた携帯用の紐を有する請求項１〜７のいずれか１項記載のバッグ。
【発明の詳細な説明】
【０００１】
【発明の属する技術分野】
本発明はバッグに関し、特にシール可能なバッグ、例えば防水機能を備えたバッグに関する。
【０００２】
【従来の技術】
本発明が関係するシール可能なバッグの１つの用途に、感水性（水に敏感な）の物質または器具をヨットマンが携帯する場合がある。そのような用途を持った公知のバッグに、開口まわりのバッグ部分を互いに圧着させて折り返すことによって閉まるポーチからなるものがる。ポーチの両方のシートに二対の孔が開けられていて、一方の対が他方の対より開口から遠くに形成され、折り返したときにそれらが互いに合致するようになっているものである。折り返された端部の一方の側で、一対のプラスチック帯板（ｐｌａｓｔｉｃ  ｓｔｒｉｐｓ）の一方から突出したボルトを、バッグの孔と他方の帯板の孔に通してから、ボルトの端部をナットで締めることによって、両帯板を互いに締め付ける。各帯板片は、その中心部分が他の部分に対して段差を有していて、帯板が連結されたとき、バッグの折り返し縁を中心部分の側方部分で締め付けるよう構成されている。
【０００３】
【発明が解決しようとする課題】
この公知のシール可能なバッグは、いくつかの問題点がある。主な問題点は、閉止具が迅速かつ簡単に使用できないことである。閉止具とバッグの種々の部品を組み付けてナットを締め付ける作業が煩わしく、しかも両手を使わなければならないため、閉止するのに３０秒以上かかることがある。特に、帆走中またはカヌーを漕いでいる最中などにバッグを開けた場合、バッグから取り外した帯板を失う恐れがある。
他の問題点としては、ナットを十分に締めないことがあり、これは適切なシールが達成されないことを意味する。そして、そのようなバッグが、通常、海上で使用されることから、ナットやボルトを耐食性の船舶用鋼（ｍａｒｉｎｅ  ｇｒａｄｅ  ｓｔｅｅｌ）で作る必要があり、これによってバッグの製造コストが高くなる。さらに、折り返される上部には追加材料を必要とし、これによってもバッグのコストをさらに高めている。
【０００４】
従って、本発明の目的は、使用が容易で、バッグ内への水の侵入を効率よく防止する、簡単で、実用的で、安価な閉止具を備えたシール可能なバッグを提供することにある。
【０００５】
【課題を解決するための手段】
上記目的は、請求項記載の発明により達成される。
即ち、本発明のバッグの特徴構成は、一対の縁によって形成された開口と閉止具とを備え、この閉止具が、前記縁の一方の少なくとも一部に取り付けられた一方のバーと、相互間で前記縁を締め付けて前記開口をシール可能に閉じるように前記一方のバーに解放可能に連結される他方のバーとを備えるバッグであって、前記解放可能な連結が、少なくとも１個の差込みコネクタによって形成される点にある。
バーの一方をバッグの縁に取り付けることによって、バッグの開閉が容易になり、さらに良好な締め付け、従って良好なシールを確保するためのバッグの縁の適正な位置決めを助ける。
しかも、差込みコネクタを用いることにより、その開閉がボルト・ナットより簡単で速く、その開閉は数秒しかかからないので、使用が容易で、かつ安価であり、シール機能の高いバッグを実現できる。そして、差込みコネクタの適正な使用によって自動的に締め付ける構成にできる。さらに、適正な締め付けが達成されたことを音や触感で使用者に知らせたり、不測の解放を防止する機構を設けることも容易である。
【０００６】
解放可能な連結が、直接的に前記両バーの領域を互いに、そして締め付けられた縁から間隔をあけて連結する１個または複数の連結部材によって形成されることが好ましい。
直接的に両バーを、互いに且つ締め付けられた縁から間隔をあけて連結すると、シールがさらに向上し、バッグの本体部分に孔を設けないで済む。
連結部材は、バッグの縁に対する締め付け圧を増すように連結をきつくする手段を備えていてもよい。
このような連結をきつくする機能は、シール機能を向上させ、また下記の特徴との組合せで適正なシールを確実なものにする。
【０００７】
連結部材は、少なくとも１個の差込みコネクタ（バヨネット式コネクタ）を有する。回転時に差込みピンが横断するカム手段を設けてもよく、このカム手段が、両バーの連結をきつくするために、差込みピンの回動方向と同方向に傾斜し差込みピンのアームに係合する２つの傾斜面を備える。特に、帆走中またはカヌーを漕いでいる最中などの場合、差込みコネクタはナットとボルトのコネクタよりずっと使いやすい。差込みコネクタは確実で堅固な連結を達成し、カム手段と組み合わせれば、比較的高い締め付け圧を加えることができる。
【０００８】
差込みピンが所定の位置にきたとき、差込みピンまたはそれを回転させるレバーと協働して、その位置にきたことを音で知らせたり、ピンをその位置に解放可能にロックする止め手段を設けてもよい。
前者の代替案は、締め付けが正しく達成されたことを使用者が知覚できる報知を与えるので、公知のナットとボルトのコネクタの問題点つまり十分に締め付けられない場合を解消する。第２の案は、バッグが開けられるまで締め付け圧を常時加えることができる。
差込みピンが一方のバーに取り付けられ、差込み孔が他方のバーに設けられ、差込みコネクタがピンの回転を容易にするレバーを含むよう構成できる。
また、他方のバーが他方の縁の少なくとも一部に取り付けられると、バッグを開けたときに外れる部品が生じない。バッグの縁に対するバーの連結が取り外し可能でもよく、例えばホック式の連結を採用できる。これによって、製造が容易になることも考えられる。
一方のバーが突起を、他方のバーが突起を受け入れる補完的溝を形成し、突起と溝を、バッグの縁を相互間で締め付ける位置に設けてもよい。従って、締め付け圧が１本の線に沿って加えられ、効果的なシールを達成できる。
バッグは、一方のバーに取り付けられた携帯用の紐を含んでもよい。これにより、紐を直接バッグに取り付ける必要がなくなる。紐を両方のバーに取り付けると、バッグをバーから取り外しても、両方のバーが紐に取り付けられたままであり、バーを紛失する恐れが非常に少なくなる。しかも、このようになっていると、両方のバーがバッグに取り付けられていなくても、使用者はバッグを開けたときに両手を自由に使って物品の出し入れができる。
【０００９】
【発明の効果】
以上の結果、本発明によれば、使い勝手がよく、バッグ内への水の侵入を確実に防止し得る、簡単かつ実用的で、安価な、シール可能なバッグを提供することができた。
【００１０】
【発明の実施の形態】
本発明の実施形態を、図面を参照して詳細に説明する。
〔第１実施形態〕
図１は、バッグ２がそのアクセス開口が閉止具４でシールされている状態を示す。閉止具４は２本のバー６、８を備えていて、それら両バーはレバー１０で作動する一対のコネクタによって結合される。バッグ２のアクセス開口は、バー６、８で閉じられ、水密シールされるようになっている。
バッグ２を携帯するための紐１２が、閉止具４に取り付けられている。図２からわかるように、バー６、８には閉止具４の両端に紐１２を通すための孔１４が形成されていて、一方のバー８は連結用のアパーチャが設けられている。これに代えて、後述するように、バー６、８の両端に紐取付機構１６を設けてもよい（図５参照）。さらに別の例として、紐１２の一端または両端を直接バッグ２に取り付けてもよい。
バー６の正面構造を図３の右側に示し、その背面構造を図３の左側に示す。ここで「正面」と「背面」は、図１に示すように互いに締め付けられたバー６、８のバッグ２に対するそれぞれの向きのことである。つまり、「正面」は締め付けられた各バー６、８の外面を指す。バー６の背面には、図４の側面図に示すように、突起１８が設けられている。図４に示すように、各レバー１０はシャフト２０に取り付けられていて、シャフト２０の他端には差込みピンたるクロスピン２２が取り付けられている。シャフト２０とクロスピン２２は、差込みコネクタの半分を構成する。
【００１１】
バッグ２の上縁（輪郭を点線で示してある）は、図３に示すように、一体的延長部分２４を有していて、その長さは左右のクロスピン２２同士の間隔より少し短い。延長部分２４は雌ホック２６を有していて、これはバー６、８の雄ホック２８と係合する（図５参照）。ホック２６、２８は、バー６、８とバッグ２を連結する。
差込みコネクタの残り半分はバー８に設けられているが、その前面構造が図５の右側に示され、背面構造が図５の左側に示されている。バー８は一対のスロット３０を備えていて、それぞれがシャフト２０とピン２２を受け入れるような寸法と形状を持ち、受け入れられる際に、ピン２２はバー８の軸心と同心状になる。そして、レバー１０を回してシャフト２０を回転させると、クロスピン２２がスロット３０から軸ずれし、バー６、８同士をロックする。
ピン２２はそのように回動して、バー８の前側に形成されたカム手段たるカム面３２と係合する。これについては、図７〜９に詳細に示されている。図に示すように、シャフト２０の回転（図７の反時計まわり）により、ピン２２の各アームが斜面状のカム３２と係合する。ピン２２のアームがカムの斜面３２を登るにしたがって、バー６、８が互いに引き寄せられる。シャフト２０が回転し続けると、アームはカムの斜面３２を通り越して平坦領域３４へ移動する。ストッパ３６が平坦領域３４の範囲、従ってシャフト２０の最大回転量を規制する。平坦領域３４が、皿または溝状の凹みを備える止め手段たる止め部３８を形成してもよい。ピン２２のアームが止め部３８に入るとクリック音を発して、バー６、８同士が正しくロックされたことをバッグの使用者に知らせることができる。さらに、止め部３８は、レバー１０を確実に回さないうちに連結が解除されることを防止するのに役立つ。
【００１２】
バー６に上向きのリブを設けることができ、それがレバー１０の下部の対応するリブに引っかかって、閉止状態で同様なロック作用を行う。ここでも、ロックされたことを音または触覚で感知させる構成にできる。
バー８は、バー６の突起１８を受け入れる溝４０を有する。バー６、８が互いに連結すると、突起１８と溝４０の間でバッグ２のアクセス開口の縁をかたく挟持し、ライン状の締め付け圧を加えて水密シールを形成する。突起１８と溝４０の形状の組合せは種々のものが考えられ、両者共ほぼ同形の凹凸形状になっていてもよいし、突起の側面傾斜が溝の側面傾斜より大きな角度になっていて、両者が嵌合時に、摩擦嵌合するようになっていてもよい。
バー６、８は延長部分２４の両側部分で直接連結されるが、協働するリブとして機能する突起１８および溝４０によって、その下方でバッグ２の全幅にわたってシールが生成される。
バー６、８とレバー１０とシャフト２０はプラスチックで製造できる。強度を確保するため、ピン２２を金属で形成でき、それには船舶用鋼の使用が望ましい。本実施例の場合、船舶用鋼の必要量はこの種の公知のバッグと比べて格段に少なく、それだけ製造コストを低くできるものである。
【００１３】
〔第２実施形態〕
図１０〜１４に示す第２実施形態では、船舶用鋼がまったく使用されていない。この実施形態の多くの特徴は図２〜９に示すものと共通であり、同じ部品は参照番号にａを付して示してある。
第１実施形態の閉止具４と同様に、閉止具４ａは２本のバー６ａ、８ａを備え、それらはレバー１０ａで作動する一対のコネクタによって結合される。各レバー１０ａはシャフト２０ａに取り付けられ、シャフトの他端には一体の差込みピンたるクロスピン２２ａが設けられている。この第２実施形態のシャフト２０ａとクロスピン２２ａは、第１実施形態と比べてずっと大きく、クロスピン２２ａをプラスチック製にできる。クロスピン２２ａは、シャフト２０ａに対して平行な長さが７．５ｍｍ、幅が３．７５ｍｍ、厚さが約２．６２５ｍｍ、つまり寸法が２：１：０．７の比率をなす。
この実施形態のコネクタのシャフト２０ａとクロスピン２２ａを大きくした結果、バー８ａのスロット３０ａもそれに応じて大きくしてある。クロスピン２２ａの突出量を最小限にするため、カム面３２ａをバー８ａの背面つまり内面にできるだけ近い位置に設けてある。クロスピン２２ａは、それが使用者の体または着衣に引っかかったり、それと擦りあったりしないように、滑らかな形状になっていることが好ましい。第１実施形態に示したような平坦領域３４と止め部３８は取り除かれ、第１実施形態で簡単に述べたように、クロスピン２２ａをロックしたり、シールされたことを示す音を出す代替手段が設けられている。レバー１０ａの下面にリブ４２が設けられ、レバー１０ａの回動により、それがバー６ａの前面つまり外面に設けられた傾斜状止め部４４に圧接してロックされる。リブ４２と傾斜状止め部４４の協働により、バッグ２をシールする位置でシャフト２０ａとクロスピン２２ａが解放可能にロックされる。ロック作用は使用者に感知され、またシールが達成されたことを示すクリック音が発せられる。
【００１４】
バー６ａには、図１４に示すように、ピン２２ａを先頭にして各ピンコネクタが挿入される孔４６が設けられている。この孔４６はバー８ａのスロット３０ａと同様な形状をしているが、バー６ａの前面、つまり外面に、図１４に示すように、切欠き４８が設けられている点が相違する。各レバー１０ａは止め部５０を持ち、それが切欠き４８に係入してレバー１０ａの動きを規制することにより、ピン２２ａはスロット３０ａと整列した開放位置とカム面３２ａの端部の閉じ位置との間でのみ回動可能になる。切欠き４８はこれを達成するに十分な距離だけ孔４６まわりに延設されていて、その距離はスロット３０ａとカム面３２ａとの相対位置によって定まる。図示した実施形態では、切欠き４８は約１４５度の回動を許すようになっている。
バー６ａの背面、つまり内面に、十字状切欠き５４を持ったガイドスリーブ５２が一体的に形成されている。フランジヘッド５８の付いた２本のピン５６が、ガイドスリーブ５２の径方向反対側から切欠き５４内へ突出している。ピン５６は、同じく一体的に形成されているが、スリーブ５２に対しては移動可能である。
シャフト２０ａは、くびれ部６０を挟む２部分からなる。シャフトの前部つまりピン側部分は、見やすくするために図１４には示されていない。
孔４６とスリーブ５２にシャフト２０ａを挿入する際、ピン５６はそのヘッドがくびれ部６０に合致するまで圧迫される。ピン５６のヘッドがくびれ部６０にロックされると、シャフト２０ａがバー６ａ内の所定位置に保持される。
【００１５】
第２実施形態に適したプラスチック材はＡＢＳ樹脂などであり、単独でもガラス繊維で強化されたものでもよい。このＡＢＳ樹脂は、紫外線安定化されたものでもよい。第１実施形態でも同様な材料を使用できる。もっとも、使用材料としてはＡＢＳ樹脂に限定されるものではなく、これと同等な他の樹脂材料、例えば各種エンプラを用いることができる。
バー６、８、６ａ、８ａの少なくとも一方、好ましくは両方が、バッグ２のアクセス開口に連結される。この連結は永久的なものでもよいが、取り外し可能なことが望ましい。後者の場合、第１実施形態で示したように、雌ホック２６をバッグ２に、雄ホック２８をバー６、８に設けることにより実現できる。
【００１６】
代替案として、図１５にバーの詳細を省略して概略的に示すように、２部分からなる取付け用帯板６２を設けることができる。各帯板６２は、バッグ２のアクセス開口の側部で互いに連結される雄部６４と雌部６６からなる。雄帯板部６４には複数のスプルー６８が形成されていて、それらがバッグの延長部分２４の孔７０を貫通して、雌部６６の適当な形の孔７２に挿入する。各スプルー６８は、孔７２に密着する寸法の薄肉部７４を有する。孔７２にはスロット７６が設けられていて、これによりスプルー６８が孔を通過し、薄肉部７４が孔７２に収まるように雌部６６は柔軟性を備える。スプルー６８の突出部分は、バー６ａ、８ａの内面に設けられた有底穴７８に入る。有底穴７８は、スプルー６８の先端と摩擦係合する寸法になっている。
【００１７】
〔第３実施形態〕
図１６、１７はスプルー６８の別実施形態を示し、この取付け用帯板６２は単体になっている。この実施形態は図１５のものと共通の特徴を含み、同じ部品は参照番号にａを付して示してある。
２部分から構成されている取付け用帯板６２と同様、単体の取付け用帯板６２ａは孔７２ａに挿入されるスプルー６８ａを備えている。各スプルー６８ａは分割成形されていて、その２つの半分６２ａが互いに分離付勢されている。スプルー６８ａはその遊端へ向かってテーパ状になっていて、この付勢とテーパの組合せによりバッグの延長部分２４の孔７０と摩擦係合するため、くびれ部が不要で、孔７２ａもバー６ａ、８ａの穴７８も単に丸くできる。
雄および雌部６４ａ、６６ａはフレキシブルなヒンジ８０で連結されていて、スプルー６８ａがバッグの延長部分２４の孔７０と孔７２ａを貫通した状態で両者を向き合わせることができる。
図１６、１７に示すように、雌部６６ａはその両側から一体的に延出した薄いウエブ８２を備えていて、孔８６を形成した雌延長部材８４がその端部に取り付けられ、それがヒンジ８７によって、スプルー９０が突出した雄延長部材８８につながれている。延長部材８４、８８によって、スプルー９０を受け入れる孔９２を備えたバッグ２の上縁に取付け用帯板６２が連結される。これによって、閉止具４ａの内側からのバッグ側部の引抜きが防止されることが判明している。
【００１８】
両帯板６２ａが取り付けられたバッグ２を、図１７に示す。同図に示すように、薄いウエブ８２の柔軟性により帯板６２ａが弓なりになって、しっかりとした準円形状の開口を形成し、バッグ２に対する物品の出し入れが容易にできる。また、図に示すように、雄部分６４にタブ９４が形成され、使用者はこれを掴んで、道具を必要とせずにバー６ａ、８ａから帯板６２ａを引き離すことができる。図１５又は図１６に示されたいずれのスプルー６８、６８ａの形態でも、バー６ａ、８ａに帯板６２、６２ａを固定させるに十分であることが判明している。従って、バッグ２の上部をしっかりと掴むように３本のスプルー６８を各雄部分６４に設ける場合、図１５に示すように、中央のスプルー６８を短くできる。
【００１９】
図１７に示すように、取付け用帯板６２ａを使用する場合、薄いウエブ８２を受け入れる凹部９６を形成するようバー６ａ、８ａを改変する必要がある。また、図１７で、雌部６６ａに切欠き９８が形成されている。切欠き９８はバー８ａから突出したリブ１００を受け入れるものであり、その一方のリブの縁が、図１７中にわずかに見える。バー６ａ内で、リブ１００の他方の縁に１本の長さ方向のリブが設けられている。これらのリブは、バー６ａ、８ａの周辺部が正しい状態のときのみ連結されることを保証する。
【００２０】
バッグ２とバー６、８の間にホック連結２６、２８を備えた図３の構成を、ホックを別体にしたキットの形にしてもよい。雄ホックが延長部分２４の孔に挿入され、対応する雌ホック２６に復帰不能、つまり取り外し不可にスナップ係合する。そして、雌ホック２６はバー６、８の対応する雌孔にはまる。雄ホックの溶接に時間がかかることから、このキット型のバッグは製造コストを低くできる。取付け用帯板６２、６２ａを備えた図１５および図１６の構成も、キットの形にするのに好都合である。この場合、使用者自身が取付け用帯板６２、６２ａをバッグに組み付ける。もちろん、バーをバッグに再度組み付けてもよく、これはプラスチック溶接を必要としない安価で簡単な操作となる。
【００２１】
〔その他の実施形態〕
紐取付け機構１６を、図１８に示された形にすれば、使用者が紐１２をバッグ２に組み付けることができる。この場合、紐１２の端部にＴバー１０２を備える。Ｔバー１０２は、紐１２とほぼ整合させた孔１４ａに挿入する。紐１２を操作してＴバー１０２をずらすと、それがバー６ａ、８ａのリムに引っかかる。Ｔバー１０２をしっかりと保持するため、リムの下に設けられた支持ピン１０４とリムの間に、Ｔバー１０２をはめ込むことが望ましい。Ｔバー１０２は、図に示すようにほぼ四角形状でもよく、あるいは最大接触面を得るためにリブの付いた円形でもよい。
【００２２】
各バー６、８、６ａ、８ａに連結機構１６を設けることが望ましい。その結果、閉止具４ａが開放されたときに、紐１２がバー６、８、６ａ、８ａをつなぐので、一方または両方のバーがバッグ２から取り外されても紛失しない。さらに、紐１２を両方のバーにつないでおけば、バッグ２の両サイドを支持することになり、物品の出し入れが容易になる。
【００２３】
紐１２を設けずに、バッグ２をベルトまたはラニヤードにつなげるように構成できる。その場合、バー６、８、６ａ、８ａが使用者の体に接触するので丸みをつけて当りをやわらげることが望ましい。
バッグ２にバー６、８、６ａ、８ａを少なくとも１本取り付けると、使用を容易にし、バー６、８、６ａ、８ａの間のバッグの縁を正しく位置づけるのに役立ち、バッグ２のアクセス開口付近を強固にする。さらに、差込みコネクタを解放すると、アセンブリ全体が単に２つの部分に分かれる。バッグ２に両方のバー６、８、６ａ、８ａが取り付けられた好適実施形態では、バッグを開けてもアセンブリは絶対に分離しない。バッグの中味の重量が１ｋｇまで、帯板６２、６２ａはバーを連結させるが、それでも手で取り外せる。従って、帯板とバーは洗浄または交換のために、工具を用いることなくいつでも取り外せる。
【００２４】
バッグ２は、９０度以内の角度で各レバー１０を回すことによって、簡単に開閉できる。その操作は、図１に示すような可視信号にもとづいて容易にできる。これらは、開放位置から閉じ位置まで移動するレバー１０、１０ａの方向を示す三角マーク１０６を備えていてもよい。レバー１０、１０ａの上端にリブ１０８を形成し、レバー１０、１０ａの回動位置に対応して、それが丸印１１０とともに開放位置を示し、点１１２とともに閉じ位置を示すように構成できる。
差込みコネクタは、その開閉がボルト・ナットより簡単で速く、その開閉は２、３秒しかかからないから有効である。上記好適実施形態に示すように、差込みコネクタのピンのアームが横断するカムを設けると、締めつけが容易になる。つまり、差込みコネクタの適正な使用によって自動的に締め付けることができる。止め部は、適正な締め付けが達成されたことを音や触感で使用者に知らせたり、不測の解放を防止する。さらに、船舶用鋼の必要量が減少する。第１実施形態ではピン１８だけが鋼鉄製で、第２実施形態では鋼鉄をまったく必要としない。
【００２５】
また、バー８、８ａのスロット３０、３０ａと溝４０、４０ａとバー６、６ａのシャフト２０、２０ａとリブ１８、１８ａの間隔を大きくして、バッグ２の縁を取り付ける位置を限定することによって、延長部分２４を省略できる。しかし、差込みコネクタによる力が突起・溝の組合せにできるだけ近い位置に加えられ、その組合せの締め付け圧を最大限にする図示した実施形態の方が望ましい。
試験結果は、バー６、８、６ａ、８ａによって形成されるクリップが、１万回の開閉後でも、少なくとも２０ｍ（又は２気圧）の深度まで水密である非常に有効なシールであることを示した。従って、このバッグは、潜水者が科学目的でカメラや電子機器を持つ潜水などの用途に向いている。そのような深さや圧力下で使用しなくても、ボートやカヌー等の船舶に積んだ移動電話、カメラ等の高価な機器の所有者に、このクリップは安心感を与える。また、そのシール効果により、シールされたバッグがある程度の浮力を持ち、水に落としても浮くので回収が容易となる。
このバッグは他にも多くの用途があり、特にシールすることにより保護する環境が必要な産業および医療の分野に利用できる。
【図面の簡単な説明】
【図１】本発明によるバッグの斜視図
【図２】図１のバッグの第１実施形態による閉止具の平面図
【図３】図２の閉止具の一方のバーの半背面・半正面図
【図４】図３のバーの端面図
【図５】図２の閉止具の他方のバーの半正面・半背面図
【図６】図５のバーの部分断面端面図
【図７】図５のエリアＡの拡大図
【図８】図７のＹ−Ｙ線矢視図
【図９】図７のＸ−Ｘ線矢視図
【図１０】第２実施形態による閉止具の部分断面平面図
【図１１】図１０の閉止具の端面図
【図１２】図１０の閉止具の一方のバーの背面図
【図１３】図１０の閉止具のピンコネクタと他方のバーの部分断面後方斜視図
【図１４】図１３の閉止具のピンコネクタとバーの位置関係を示す前方斜視図
【図１５】図１のバッグを形成するためにバーをポーチに取り付ける方法を示す説明図
【図１６】第３実施形態によるバッグを形成するためにバーをポーチに取り付ける方法を示す説明図
【図１７】図１６の第３実施形態によるバッグを形成するためにバーをポーチに取り付ける方法を示す説明図
【図１８】図１のバッグに紐を取り付ける方法を示す略図
【符号の説明】
４，４ａ          閉止具
６，６ａ          一方のバー
８，８ａ          他方のバー
１０，１０ａ      レバー
１２              紐
２２，２２ａ      差込みピン
３２，３２ａ      カム手段
３８              止め手段
４０              溝
【図１】
0003592848.tif 000002
【図２】
0003592848.tif 000003
【図３】
0003592848.tif 000004
【図４】
0003592848.tif 000005
【図５】
0003592848.tif 000006
【図６】
0003592848.tif 000007
【図７】
0003592848.tif 000008
【図８】
0003592848.tif 000009
【図９】
0003592848.tif 000010
【図１０】
0003592848.tif 000011
【図１１】
0003592848.tif 000012
【図１２】
0003592848.tif 000013
【図１３】
0003592848.tif 000014
【図１４】
0003592848.tif 000015
【図１５】
0003592848.tif 000016
【図１６】
0003592848.tif 000017
【図１７】
0003592848.tif 000018
【図１８】
0003592848.tif 000019